(57)【要約】  接続された機器の破損や誤動作を招くことなく、光データ伝送を良好に行い得るようにする。  コネクタは、相手コネクタの信号電極、接地電極に対応した位置にそれぞれ設けられた信号電極、接地電極と、相手コネクタの光学部に対応した位置に設けられた光学部を備える。相手コネクタとの嵌合が行われるとき、光学部が相手コネクタの光学部と接触した後に、接地電極が相手コネクタの接地電極と接触した状態で信号電極が相手コネクタの信号電極に接触する。相手コネクタとの嵌合解除が行われるとき、接地電極が相手コネクタの接地電極と接触した状態で信号電極が相手コネクタの信号電極から分離した後に、光学部が相手コネクタの光学部から分離する。
2019135353.tif 000002
【特許請求の範囲】
【請求項１】
相手コネクタの信号電極および接地電極に対応した位置にそれぞれ設けられた信号電極および接地電極と、
上記相手コネクタの光学部に対応した位置に設けられた光学部を備え、
上記相手コネクタとの嵌合が行われるとき、上記光学部が上記相手コネクタの光学部と接触した後に、上記接地電極が上記相手コネクタの接地電極と接触した状態で上記信号電極が上記相手コネクタの信号電極に接触し、
上記相手コネクタとの嵌合解除が行われるとき、上記接地電極が上記相手コネクタの接地電極と接触した状態で上記信号電極が上記相手コネクタの信号電極から分離した後に、上記光学部が上記相手コネクタの光学部から分離する
コネクタ。
【請求項２】
上記光学部は、移動可能に設けられ、
上記光学部が上記相手コネクタの光学部との接触を開始する状態では、上記信号電極が上記相手コネクタの信号電極と分離した位置にあるように上記光学部を上記相手コネクタ側に付勢する付勢部をさらに備える
請求項１に記載のコネクタ。
【請求項３】
上記信号電極が上記相手コネクタの信号電極に接触した状態を上記付勢部による付勢力に抗して保持するロック部をさらに備える
請求項２に記載のコネクタ。
【請求項４】
上記信号電極は、上記相手コネクタに接続検出信号を供給するための第１の信号電極と、上記相手コネクタから接続検出信号を受け取るための第２の信号電極とからなる
請求項１に記載のコネクタ。
【請求項５】
相手コネクタの信号電極および接地電極に対応した位置にそれぞれ設けられた信号電極および接地電極と、上記相手コネクタの光学部に対応した位置に設けられた光学部を有するコネクタと、
送信データを光信号に変換して上記光学部に供給する送信部と、
上記信号電極から得られる信号に基づいて上記信号電極と上記相手コネクタの信号電極との接触の有無を検出する検出部と、
上記検出部の出力に基づいて上記送信部から上記光学部に供給される光信号のパワーを制御する制御部を備え、
上記コネクタは、
上記相手コネクタとの嵌合が行われるとき、上記光学部が上記相手コネクタの光学部と接触した後に、上記接地電極が上記相手コネクタの接地電極と接触した状態で上記信号電極が上記相手コネクタの信号電極に接触し、
上記相手コネクタとの嵌合解除が行われるとき、上記接地電極が上記相手コネクタの接地電極と接触した状態で上記信号電極が上記相手コネクタの信号電極から分離した後に、上記光学部が上記相手コネクタの光学部から分離する
電子機器。
【請求項６】
上記光学部は、移動可能に設けられ、
上記コネクタは、
上記光学部が上記相手コネクタの光学部との接触を開始する状態では、上記信号電極が上記相手コネクタの信号電極に接触しない位置にあるように上記光学部を上記相手コネクタ側に付勢する付勢部をさらに有する
請求項５に記載の電子機器。
【請求項７】
上記コネクタは、
上記信号電極が上記相手コネクタの信号電極に接触した状態を上記付勢部による付勢力に抗して保持するロック部をさらに有する
請求項６に記載の電子機器。
【請求項８】
上記制御部は、
上記検出部の出力が上記信号電極と上記相手コネクタの信号電極との接触があることを示すとき上記光信号のパワーを第１のパワーに制御し、上記検出部の出力が上記信号電極と上記相手コネクタの信号電極との接触がないことを示すとき上記光信号のパワーを上記第１のパワーより低い第２のパワーに制御する
請求項５に記載の電子機器。
【請求項９】
上記コネクタの信号電極は、上記相手コネクタに接続検出信号を供給するための第１の信号電極と、上記相手コネクタから接続検出信号を受け取るための第２の信号電極とからなり、
上記検出部は、上記第２の信号電極から上記接続検出信号を受け取るとき、上記信号電極と上記相手コネクタの信号電極との接触があることを検出する
請求項５に記載の電子機器。
【請求項１０】
相手コネクタの信号電極および接地電極に対応した位置にそれぞれ設けられた信号電極および接地電極と、上記相手コネクタの光学部に対応した位置に設けられた光学部を有するコネクタと、
送信データを光信号に変換して上記光学部に供給する送信部と、
上記信号電極から得られる信号に基づいて上記信号電極と上記相手コネクタの信号電極との接触の有無を検出する検出部と、
上記検出部の出力に基づいて上記送信部から上記光学部に供給される光信号のパワーを制御する制御部を備え、
上記コネクタは、
上記相手コネクタとの嵌合が行われるとき、上記光学部が上記相手コネクタの光学部と接触した後に、上記接地電極が上記相手コネクタの接地電極と接触した状態で上記信号電極が上記相手コネクタの信号電極に接触し、
上記相手コネクタとの嵌合解除が行われるとき、上記接地電極が上記相手コネクタの接地電極と接触した状態で上記信号電極が上記相手コネクタの信号電極から分離した後に、上記光学部が上記相手コネクタの光学部から分離する電子機器の制御方法であって、
上記検出部の出力が上記信号電極と上記相手コネクタの信号電極との接触があることを示すとき上記光信号のパワーを第１のパワーに制御し、上記検出部の出力が上記信号電極と上記相手コネクタの信号電極との接触がないことを示すとき上記光信号のパワーを上記第１のパワーより低い第２のパワーに制御する
電子機器の制御方法。
【発明の詳細な説明】
【技術分野】
【０００１】
本技術は、コネクタ、電子機器および電子機器の制御方法に関し、特に、光データ伝送のためのコネクタ等に関する。
【背景技術】
【０００２】
近年、通信容量の急激な増大に伴い、光データ伝送を行うことが提案されている（特許文献１参照）。光データ伝送を行う場合、伝送品位向上のためには強いパワーでの伝送が必要となるが、コネクタが抜けた場合の安全確保が問題となる。
【先行技術文献】
【特許文献】
【０００３】
【特許文献１】特開２００３-０４３２９６号公報
【発明の概要】
【発明が解決しようとする課題】
【０００４】
本技術の目的は、接続された機器の破損や誤動作を招くことなく、光データ伝送を良好に行い得るようにすることにある。
【課題を解決するための手段】
【０００５】
本技術の概念は、
相手コネクタの信号電極および接地電極に対応した位置にそれぞれ設けられた信号電極および接地電極と、
上記相手コネクタの光学部に対応した位置に設けられた光学部を備え、
上記相手コネクタとの嵌合が行われるとき、上記光学部が上記相手コネクタの光学部と接触した後に、上記接地電極が上記相手コネクタの接地電極と接触した状態で上記信号電極が上記相手コネクタの信号電極に接触し、
上記相手コネクタとの嵌合解除が行われるとき、上記接地電極が上記相手コネクタの接地電極と接触した状態で上記信号電極が上記相手コネクタの信号電極から分離した後に、上記光学部が上記相手コネクタの光学部から分離する
コネクタにある。【０００６】
本技術において、コネクタには、相手コネクタの信号電極および接地電極に対応した位置にそれぞれ信号電極および接地電極が設けられていると共に、相手コネクタの光学部に対応した位置に光学部が設けられている。相手コネクタとの嵌合が行われるとき、光学部が相手コネクタの光学部と接触した後に、接地電極が相手コネクタの接地電極と接触した状態で信号電極が相手コネクタの信号電極に接触するようにされる。また、相手コネクタとの嵌合解除が行われるとき、接地電極が相手コネクタの接地電極と接触した状態で信号電極が相手コネクタの信号電極から分離した後に、光学部が相手コネクタの光学部から分離するようにされる。【０００７】
例えば、光学部は、移動可能に設けられ、光学部が相手コネクタの光学部との接触を開始する状態では、信号電極が相手コネクタの信号電極と分離した位置にあるように光学部を相手コネクタ側に付勢する付勢部をさらに備える、ようにされてもよい。この場合、例えば、信号電極が相手コネクタの信号電極に接触した状態を付勢部による付勢力に抗して保持するロック部をさらに備える、ようにされてもよい。また、例えば、信号電極は、相手コネクタに接続検出信号を供給するための第１の信号電極と、上記相手コネクタから接続検出信号を受け取るための第２の信号電極とからなる、ようにされてもよい。【０００８】
このように本技術においては、相手コネクタとの嵌合が行われるとき、光学部が相手コネクタの光学部と接触された後に信号電極が相手コネクタの信号電極に接触されると共に、相手コネクタとの嵌合解除が行われるとき、信号電極が相手コネクタの信号電極から分離された後に光学部が相手コネクタの光学部から分離される。そのため、信号電極が相手コネクタの信号電極に接触している場合には光学部が相手コネクタの光学部に接触していることが保証され、この場合のみ光学部に供給される光信号のパワーを高く制御することで安全確保が可能となり、光データ伝送を良好に行い得る。【０００９】
また、本技術においては、相手コネクタとの嵌合が行われるとき、接地電極が相手コネクタの接地電極と接触した状態で信号電極が相手コネクタの信号電極に接触されると共に、相手コネクタとの嵌合解除が行われるとき、接地電極が相手コネクタの接地電極と接触した状態で信号電極が相手コネクタの信号電極から分離される。そのため、接続機器間の電位を安定させることができ、また、静電気などの影響を低減することができ、接続された機器の破損や誤動作を防止することが可能となる。【００１０】
また、本技術の他の概念は、
相手コネクタの信号電極および接地電極に対応した位置にそれぞれ設けられた信号電極および接地電極と、上記相手コネクタの光学部に対応した位置に設けられた光学部を有するコネクタと、
送信データを光信号に変換して上記光学部に供給する送信部と、
上記信号電極から得られる信号に基づいて上記信号電極と上記相手コネクタの信号電極との接触の有無を検出する検出部と、
上記検出部の出力に基づいて上記送信部から上記光学部に供給される光信号のパワーを制御する制御部を備え、
上記コネクタは、
上記相手コネクタとの嵌合が行われるとき、上記光学部が上記相手コネクタの光学部と接触した後に、上記接地電極が上記相手コネクタの接地電極と接触した状態で上記信号電極が上記相手コネクタの信号電極に接触し、
上記相手コネクタとの嵌合解除が行われるとき、上記接地電極が上記相手コネクタの接地電極と接触した状態で上記信号電極が上記相手コネクタの信号電極から分離した後に、上記光学部が上記相手コネクタの光学部から分離する
電子機器にある。【００１１】
本技術において、電子機器は、相手コネクタの信号電極および接地電極に対応した位置に設けられた信号電極および接地電極と、相手コネクタの光学部に対応した位置に設けられた光学部を有するコネクタを備えている。送信部により、送信データが光信号に変換されて光学部に供給される。検出部により、信号電極から得られる信号に基づいて信号電極と相手コネクタの信号電極との接触の有無が検出される。そして、制御部により、検出部の出力に基づいて送信部から光学部に供給される光信号のパワーが制御される。【００１２】
コネクタは、相手コネクタとの嵌合が行われるとき、光学部が相手コネクタの光学部と接触した後に、接地電極が相手コネクタの接地電極と接触した状態で信号電極が相手コネクタの信号電極に接触するようにされる。また、コネクタは、相手コネクタとの嵌合解除が行われるとき、接地電極が相手コネクタの接地電極と接触した状態で信号電極が相手コネクタの信号電極から分離した後に、光学部が相手コネクタの光学部から分離するようにされる。【００１３】
例えば、光学部は、移動可能に設けられ、光学部が相手コネクタの光学部との接触を開始する状態では、信号電極が相手コネクタの信号電極と分離した位置にあるように光学部を相手コネクタ側に付勢する付勢部をさらに備える、ようにされてもよい。この場合、例えば、信号電極が相手コネクタの信号電極に接触した状態を付勢部による付勢力に抗して保持するロック部をさらに備える、ようにされてもよい。【００１４】
また、例えば、制御部は、検出部の出力が信号電極と相手コネクタの信号電極との接触があることを示すとき光信号のパワーを第１のパワーに制御し、検出部の出力が信号電極と相手コネクタの信号電極との接触がないことを示すとき光信号のパワーを第１のパワーより低い第２のパワーに制御する、ようにされてもよい。また、例えば、コネクタの信号電極は、相手コネクタに接続検出信号を供給するための第１の信号電極と、相手コネクタから接続検出信号を受け取るための第２の信号電極とからなり、検出部は、第２の信号電極から接続検出信号を受け取るとき、信号電極と相手コネクタの信号電極との接触があることを検出する、ようにされてもよい。【００１５】
このように本技術においては、信号電極と相手コネクタの信号電極との接触の有無の検出出力に基づいて送信部から光学部に供給される光信号のパワーが制御されるものであり、相手コネクタとの嵌合が行われるとき、光学部が相手コネクタの光学部と接触された後に信号電極が相手コネクタの信号電極に接触されると共に、相手コネクタとの嵌合解除が行われるとき、信号電極が相手コネクタの信号電極から分離された後に光学部が相手コネクタの光学部から分離される。そのため、信号電極が相手コネクタの信号電極に接触している場合には光学部が相手コネクタの光学部に接触していることが保証され、この場合のみ光学部に供給される光信号のパワーを高く制御することで安全確保が可能となり、光データ伝送を良好に行い得る。【００１６】
また、本技術においては、コネクタが相手コネクタとの嵌合が行われるとき、接地電極が相手コネクタの接地電極と接触した状態で信号電極が相手コネクタの信号電極に接触されると共に、コネクタが相手コネクタとの嵌合解除が行われるとき、接地電極が相手コネクタの接地電極と接触した状態で信号電極が相手コネクタの信号電極から分離される。そのため、接続機器間の電位を安定させることができ、また、静電気などの影響を低減することができ、接続された機器の破損や誤動作を防止することが可能となる。
【発明の効果】
【００１７】
本技術によれば、接続された機器の破損や誤動作を招くことなく、光データ伝送を良好に行い得る。本明細書に記載された効果はあくまで例示であって限定されるものではなく、また付加的な効果があってもよい。
【図面の簡単な説明】
【００１８】
【図１】実施の形態としてのＡＶ伝送システムの概要を示すブロック図である。
【図２】光データ伝送システムの構成例を示すブロック図である。
【図３】光データ伝送システムの他の構成例を示すブロック図である。
【図４】光データ伝送システムの他の構成例を示すブロック図である。
【図５】光コネクタ（レセプタクル）および光コネクタ（プラグ）の構成例を示す図である。
【図６】光コネクタ（レセプタクル）と光コネクタ（プラグ）の概略的斜視図である。
【図７】光コネクタ（レセプタクル）に光コネクタ（プラグ）が挿入されて嵌合が行われる場合の各状態、および光コネクタ（レセプタクル）からコネクタ（プラグ）が抜去されて嵌合解除が行われる場合の各状態を説明するための図である。
【図８】光コネクタ（レセプタクル）に光コネクタ（プラグ）が挿入されて嵌合が行われる場合の各状態、および光コネクタ（レセプタクル）からコネクタ（プラグ）が抜去されて嵌合解除が行われる場合の各状態を説明するための図である。
【図９】光コネクタ（レセプタクル）と光コネクタ（プラグ）の概略的斜視図である。
【図１０】光コネクタ（レセプタクル）に光コネクタ（プラグ）が挿入されていって光データ伝送が開始されるという動作を説明するためのフローチャートである。
【図１１】光コネクタ（レセプタクル）よりコネクタ（プラグ）が抜去されていって光データ伝送が停止されるという動作を説明するためのフローチャートである。
【図１２】リバーシブル接続を可能とするためのプラグおよびレセプタクルの構成の一例を示す図である。
【図１３】リバーシブル接続を可能とするためのプラグおよびレセプタクルの構成の一例を示す図である。
【図１４】送信側機器の具体例としてのディスクプレーヤの構成例を示すブロック図である。
【図１５】受信側機器の具体例としてのテレビ受信機の構成例を示すブロック図である。
【発明を実施するための形態】
【００１９】
以下、発明を実施するための形態（以下、「実施の形態」とする）について説明する。なお、説明は以下の順序で行う。
１．実施の形態
２．変形例
【００２０】
＜１．実施の形態＞
［ＡＶ伝送システムの構成］
図１は、実施の形態としてのＡＶ（Audio and Visual）伝送システム１０の概要を示している。このＡＶ伝送システム１０は、メインストリームリンク（Main Stream Link）６０と、サブストリームリンク（Sub Stream Link）７０により構成されている。
【００２１】
メインストリームリンク６０では、主にオーディオ/ビデオ信号が伝送される。伝送される複数のビデオやオーディオ、それに付随するメタデータなどは、データパッキング部（Data Packing）６０１で、それぞれのストリームごとにパッキングされる。また、ビデオやオーディオのクロックを搬送クロックから再生するための分周比は、それぞれビデオクロックリカバリー情報（ＶＣＲ）、オーディオクロックリカバリー情報（ＡＣＲ）として、ＶＣＲ/ＡＣＲ生成部(VCR/ACR gen)６０２で生成される。
【００２２】
パッキングされた伝送データと生成されたリカバリー情報を含むレーンフレーム（Lane Frame）が、フレーム生成部（Frame Generator）６０３で生成される。複数の系のフレーム生成部６０３で得られたレーンフレームがマルチストリーム構成部（Multi-stream Constructor）６０４で一つにまとめられ、さらに、チャネルマッピング部（Channel Mapper）６０５で個々の伝送路（Physical Channels）にマッピングされて伝送される。
【００２３】
個々の伝送路で伝送されたレーンフレームは、チャネルデマッピング部（Channel De-Mapper）６０６でデマッピングされ、さらにマルチストリーム分解部（Multi-stream De-Constructor）６０７で、複数の系のレーンフレームに分解される。そして、それぞれの系において、パケット発生部（Packet Generator）６０８で、レーンフレームからビデオやオーディオ、それに付随するメタデータなどを含むパケットが取り出される。
【００２４】
データデパッキング部（Data De-Packing）６０９で、ビデオやオーディオ、それに付随するメタデータなどを含むパケットからビデオやオーディオ、それに付随するメタデータ等が抽出される。また、ビデオ/オーディオクロック部（Vide0/Audio Clock）６１０で、リカバリー情報（ＶＣＲ，ＡＣＲ）を含むパケットから当該リカバリー情報が抽出され、それが使用されてビデオやオーディオのクロックが再生される。
【００２５】
一方、サブストリームリンク７０では、双方向で、制御情報など、すなわち制御信号（Control）、イーサーネットデータ（IP data）、プラグアンドプレイ用データ（PnP neg）などが伝送される。制御情報などはデータパッキング部（Data Packing）７０１ａ，７０１ｂでパッキングされる。パッキングされた制御情報を含むレーンフレーム（Lane Frame）がフレーム生成部（Frame Generator）７０２ａ，７０２ｂで生成され、伝送路（Physical Channels）で伝送される。
【００２６】
伝送路で伝送されたレーンフレームから、パケット発生部（Packet Generator）７０３ａ，７０３ｂで、制御信号（Control）、イーサーネットデータ（IP data）、プラグアンドプレイ用データ（PnP neg）などを含むパケットが取り出される。そして、データデパッキング部（Data De-Packing）７０４ａ，７０４ｂで、取り出されたパケットから、制御信号（Control）、イーサーネットデータ（IP data）、プラグアンドプレイ用データ（PnP neg）などが抽出される。
【００２７】
このＡＶ伝送システム１０において、メインフレームリンク、サブフレームリンクのそれぞれで、送信側機器と受信側機器は光ケーブルで接続され、光データ伝送が行われる。
【００２８】
図２は、光データ伝送システム２０の構成例を示している。この光データ伝送システム２０は、第１の電子機器１００と、第２の電子機器２００と、これらの電子機器を接続するための光ケーブル３００とからなっている。
【００２９】
第１の電子機器１００は、レセプタクルを構成する光コネクタ１０１と、送信/受信部１０２と、接続検出部１０３と、光出力制御部１０４を有している。第２の電子機器２００は、レセプタクルを構成する光コネクタ２０１と、送信/受信部２０２と、接続検出部２０３と、光出力制御部２０４を有している。光ケーブル３００は、一端側プラグとしての光コネクタ３０１と、他端側プラグとしての光コネクタ３０２を有している。
【００３０】
光ケーブル３００の光コネクタ３０１には、光学部３０１ａが設けられ、さらに信号電極３０１ｂ、３０１ｃと接地電極３０１ｄが設けられている。また、光ケーブル３００の光コネクタ３０２には、光学部３０２ａが設けられ、さらに信号電極３０２ｂ、３０２ｃと接地電極３０２ｄが設けられている。光学部３０１ａと光学部３０２ａは、光伝送路（光ファイバ、光導波路など）３０３で接続されている。また、信号電極３０１ｂ，３０１ｃと信号電極３０２ｃ，３０２ｂはそれぞれ電気伝送路（メタルワイヤ）３０４，３０５で接続されている。さらに、接地電極３０１ｄと接地電極３０２ｄは電気伝送路（メタルワイヤ）３０６で接続されている。
【００３１】
第１の電子機器１００の光コネクタ１０１には、光学部１０１ａが設けられ、さらに信号電極１０１ｂ、１０１ｃと接地電極１０１ｄが設けられている。光学部１０１ａ、信号電極１０１ｂ、１０１ｃおよび接地電極１０１ｄは、それぞれ、接続対象としての相手コネクタである光ケーブル３００の光コネクタ３０１の光学部３０１ａ、信号電極３０１ｂ、３０１ｃおよび接地電極３０１ｄにそれぞれ対応した位置に設けられている。
【００３２】
第１の電子機器１００が送信側機器である場合、光学部１０１ａは光出力部を構成し、これに対応して光コネクタ３０１の光学部３０１ａは光入力部を構成する。一方、第１の電子機器１００が受信側機器である場合、光学部１０１ａは光入力部を構成し、これに対応して光コネクタ３０１の光学部３０１ａは光出力部を構成する。
【００３３】
ここで、光コネクタ１０１と光コネクタ３０１との嵌合が行われるとき、光学部１０１ａが光学部３０１ａと接触した後に、接地電極１０１ｄが接地電極３０１ｄと接触した状態で信号電極１０１ｂ，１０１ｃが信号電極３０１ｂ，３０１ｃと接触する。一方、光コネクタ１０１と光コネクタ３０１との嵌合解除が行われるとき、接地電極１０１ｄが接地電極３０１ｄと接触した状態で信号電極１０１ｂ，１０１ｃが信号電極３０１ｂ，３０１ｃから分離した後に、光学部１０１ａが光学部３０１ａから分離する。
【００３４】
送信/受信部１０２は、第１の電子機器１００が送信側機器である場合には、データ（送信データ）を入力して光信号に変換し、当該光信号を、光伝送路１０５を通じて光学部１０１ａに供給する。一方、送信/受信部１０２は、第１の電子機器１００が受信側機器である場合には、光学部１０１ａから光伝送路１０５を通じて供給される光信号からデータ（受信データ）を得、当該データを出力する。
【００３５】
接続検出部１０３は、信号電極１０１ｃから電気伝送路１０６を通じて信号を受け取り、この信号に基づいて、信号電極１０１ｃ（信号電極１０１ｂ）と信号電極３０１ｃ（信号電極３０１ｂ）との接触の有無を検出する。なお、この場合、第２の電子機器２００の光コネクタ２０１と光ケーブル３００の光コネクタ３０２とは既に嵌合状態にあるものとする。
【００３６】
接続検出部１０３は、信号電極１０１ｃと信号電極３０１ｃとが接触していないときは例えば０Ｖの信号を受け取るが、信号電極１０１ｃと信号電極３０１ｃとが接触しているときは第２の電子機器２００側から供給される接続検出信号（例えば＋５Ｖの信号）を受け取る。そのため、接続検出部１０３は、信号電極１０１ｃから受け取る信号に基づいて信号電極１０１ｃと信号電極３０１ｃとの接触の有無を検出できる。
【００３７】
この接続検出信号は、第２の電子機器２００の接続検出部２０３で発生され、電気伝送路２０７を通じて信号電極２０１ｂに供給され、さらに光ケーブル３００の信号電極３０２ｂ、光伝送路３０５、信号電極３０１ｃを通じて、信号電極１０１ｃに供給されたものである。なお、接続検出部１０３は、接続検出信号を発生し、電気伝送路１０７を通じて信号電極１０１ｂに供給する。
【００３８】
光出力制御部１０４は、第１の電子機器１００が送信側機器である場合、接続検出部１０３の検出出力に基づいて送信/受信部１０２から光伝送路１０５を通じて光学部１０１ａに供給される光信号のパワーを制御する。この場合、光出力制御部１０４は、検出出力が接触を示すとき光信号のパワーを第１のパワー（光データ伝送を高品位で行い得るパワー）に制御し、一方、検出出力が非接触を示すとき光信号のパワーを第１のパワーより低い第２のパワー（ユーザに対する健康被害が生じないような安全確保された充分に低いパワー）に制御する。
【００３９】
第２の電子機器２００の光コネクタ２０１には、光学部２０１ａが設けられ、さらに信号電極２０１ｂ、２０１ｃと接地電極２０１ｄが設けられている。光学部２０１ａ、信号電極２０１ｂ、２０１ｃおよび接地電極２０１ｄは、それぞれ、接続対象としての相手コネクタである光ケーブル３００の光コネクタ３０２の光学部３０２ａ、信号電極３０２ｂ、３０２ｃおよび接地電極３０２ｄにそれぞれ対応した位置に設けられている。
【００４０】
第２の電子機器２００が送信側機器である場合、光学部２０１ａは光出力部を構成し、これに対応して光コネクタ３０２の光学部３０２ａは光入力部を構成する。一方、第２の電子機器２００が受信側機器である場合、光学部２０１ａは光入力部を構成し、これに対応して光コネクタ３０２の光学部３０２ａは光出力部を構成する。
【００４１】
ここで、光コネクタ２０１と光コネクタ３０２との嵌合が行われるとき、光学部２０１ａが光学部３０２ａと接触した後に、接地電極２０１ｄが接地電極３０２ｄと接触した状態で信号電極２０１ｂ，２０１ｃが信号電極３０２ｂ，３０２ｃと接触する。一方、光コネクタ２０１と光コネクタ３０２との嵌合解除が行われるとき、接地電極２０１ｄが接地電極３０２ｄと接触した状態で信号電極２０１ｂ，２０１ｃが信号電極３０２ｂ，３０２ｃから分離した後に、光学部２０１ａが光学部３０２ａから分離する。
【００４２】
送信/受信部２０２は、第２の電子機器２００が送信側機器である場合には、データ（送信データ）を入力して光信号に変換し、当該光信号を、光伝送路２０５を通じて光学部２０１ａに供給する。一方、送信/受信部２０２は、第２の電子機器２００が受信側機器である場合には、光学部２０１ａから光伝送路２０５を通じて供給される光信号からデータ（受信データ）を得、当該データを出力する。
【００４３】
接続検出部２０３は、信号電極２０１ｃから電気伝送路２０６を通じて信号を受け取り、この信号に基づいて、信号電極２０１ｃ（信号電極２０１ｂ）と信号電極３０２ｃ（信号電極３０２ｂ）との接触の有無を検出する。なお、この場合、第１の電子機器１００の光コネクタ１０１と光ケーブル３００の光コネクタ３０１とは既に嵌合状態にあるものとする。
【００４４】
接続検出部２０３は、信号電極２０１ｃと信号電極３０２ｃとが接触していないときは例えば０Ｖの信号を受け取るが、信号電極２０１ｃと信号電極３０２ｃとが接触しているときは第１の電子機器１００側から供給される接続検出信号（例えば＋５Ｖの信号）を受け取る。そのため、接続検出部２０３は、信号電極２０１ｃから受け取る信号に基づいて信号電極２０１ｃと信号電極３０２ｃとの接触の有無を検出できる。
【００４５】
この接続検出信号は、第１の電子機器１００の接続検出部１０３で発生され、電気伝送路１０７を通じて信号電極１０１ｂに供給され、さらに光ケーブル３００の信号電極３０１ｂ、光伝送路３０４、信号電極３０２ｃを通じて、信号電極２０１ｃに供給されたものである。なお、接続検出部２０３は、接続検出信号を発生し、電気伝送路２０７を通じて信号電極２０１ｂに供給する。
【００４６】
光出力制御部２０４は、第２の電子機器２００が送信側機器である場合、接続検出部２０３の検出出力に基づいて送信/受信部２０２から光伝送路２０５を通じて光学部２０１ａに供給される光信号のパワーを制御する。この場合、光出力制御部２０４は、検出出力が接触を示すとき光信号のパワーを第１のパワー（光データ伝送を高品位で行い得るパワー）に制御し、一方、検出出力が非接触を示すとき光信号のパワーを第１のパワーより低い第２のパワー（ユーザに対する健康被害が生じないような安全確保された充分に低いパワー）に制御する。
【００４７】
図３は、光データ伝送システム２０Ａの構成例を示している。この光データ伝送システム２０Ａは、第１の電子機器１００Ａと、第２の電子機器２００Ａと、これらの電子機器を接続するための光ケーブル３００とからなっている。この図３において、図２と対応する部分には同一符号を付し、その詳細説明は省略する。
【００４８】
図２の光データ伝送システム２０の第１の電子機器１００においては、接続検出部１０３から接続検出信号（例えば、＋５Ｖの信号）が電気伝送路１０７を通じて信号電極１０１ｂに供給される構成となっているが、光データ伝送システム２０Ａの第１の電子機器１００Ａにおいては、＋５Ｖ電源から＋５Ｖの信号が接続検出信号として電気伝送路１０７を通じて信号電極１０１ｂに供給される構成となっている。第１の電子機器１００Ａのその他は、第１の電子機器１００と同様に構成されている。
【００４９】
また、図２の光データ伝送システム２０の第２の電子機器２００においては、接続検出部２０３から接続検出信号（例えば、＋５Ｖの信号）が電気伝送路２０７を通じて信号電極２０１ｂに供給される構成となっているが、光データ伝送システム２０Ａの第２の電子機器２００Ａにおいては、＋５Ｖ電源から＋５Ｖの信号が接続検出信号として電気伝送路２０７を通じて信号電極２０１ｂに供給される構成となっている。第２の電子機器２００Ａのその他は、第２の電子機器２００と同様に構成されている。
【００５０】
図４は、光データ伝送システム２０Ｂの構成例を示している。この光データ伝送システム２０Ｂは、第１の電子機器１００Ｂと、第２の電子機器２００Ｂと、これらの電子機器を接続するための光ケーブル３００とからなっている。この図４において、図２と対応する部分には同一符号を付し、その詳細説明は省略する。
【００５１】
図２の光データ伝送システム２０の第１の電子機器１００においては、接続検出部１０３から接続検出信号（例えば、＋５Ｖの信号）が電気伝送路１０７を通じて信号電極１０１ｂに供給される構成となっているが、光データ伝送システム２０Ｂの第１の電子機器１００Ｂにおいては、＋５Ｖ電源から＋５Ｖの信号が接続検出信号として電気伝送路１０７を通じて信号電極１０１ｂに供給される構成となっている。第１の電子機器１００Ｂのその他は、第１の電子機器１００と同様に構成されている。
【００５２】
また、図２の光データ伝送システム２０の第２の電子機器２００においては、接続検出部２０３から接続検出信号（例えば、＋５Ｖの信号）が電気伝送路２０７を通じて信号電極２０１ｂに供給される構成となっているが、光データ伝送システム２０Ｂの第２の電子機器２００Ｂにおいては、電気伝送路２０６に得られる接続検出信号（例えば、＋５Ｖの信号）が電気伝送路２０７を通じて信号電極２０１ｂに供給される構成となっている。第２の電子機器２００Ｂのその他は、第２の電子機器２００と同様に構成されている。
【００５３】
ここで、第１の電子機器１００（１００Ａ，１００Ｂ）の光コネクタ（レセプタクル）１０１と光ケーブル３００の光コネクタ（プラグ）３０１の部分の詳細な構成例について説明する。なお、第２の電子機器２００（２００Ａ，２００Ｂ）の光コネクタ（レセプタクル）２０１と光ケーブル３００の光コネクタ（プラグ）３０２の部分の詳細な構成例については、光コネクタ１０１と光コネクタ３０１と同様の構成となるので、その説明は省略する。
【００５４】
図５（ａ）は、光コネクタ（レセプタクル）１０１の構成の一例を概略的に示している。また、図５（ｂ）は、光コネクタ（プラグ）３０１の構成の一例を概略的に示している。なお、図５（ａ），（ｂ）に示す構成はあくまでも一例であり、光コネクタ（レセプタクル）１０１および光コネクタ（プラグ）３０１の構成が図示の例に限定されるものではない。
【００５５】
図５（ｂ）に示す光コネクタ（プラグ）３０１について説明する。光コネクタ３０１は、挿入側の中央に開口３１２を持つ本体部３１１を有している。この本体部３１１に、開口３１２の底面に端面が覗くように、光学部３０１ａが設けられている。また、この本体部３１１に、外周に露出するように信号電極３０１ｂ，３０１ｃと接地電極３０１ｄが設けられている。また、この本体部３１１の外周面には、ロック機構を構成するロック孔３１３が設けられている。
【００５６】
図６（ｂ）は、光コネクタ（プラグ）３０１の概略的斜視図を示している。本体部３１１の外周面（図において上面）に、信号電極３０１ｂ，３０１ｃと接地電極３０１ｄが同一の長さで配置され、接地電極３０１ｄを挟んで両側に信号電極３０１ｂ，３０１ｃが存在している。また、本体部３１１の外周面（図において側面）に、ロック孔３１３が配置されている。
【００５７】
図５（ａ）に示す光コネクタ（レセプタクル）１０１について説明する。光コネクタ１０１は、光コネクタ３０１側に開口１１２を持つ本体部１１１を有している。本体部１１１の光コネクタ３０１の光学部３０１ａに対応した位置に、光学部１０１ａが設けられている。すなわち、開口１１２の底面中央から端部が突出するように、光学部１０１ａが設けられている。
【００５８】
この光学部１０１ａは、矢印方向に移動可能に設けられている。この光学部１０１ａの光コネクタ３０１側とは反対の側に、付勢部を構成するコイル状のばね部材１１３が設けられている。光学部１０１ａは、光コネクタ３０１の挿入のない状態では、ばね部材１１３で付勢され、図示の位置に配置される。
【００５９】
本体部１１１の光コネクタ３０１の信号電極３０１ｂ，３０１ｃと接地電極３０１ｄに対応した位置に、それぞれ、信号電極１０１ｂ，１０１ｃと接地電極１０１ｄが設けられている。すなわち、開口１１２の側面にその一部が突出するように、信号電極１０１ｂ，１０１ｃと接地電極１０１ｄが設けられている。また、この開口１１２の側面にその一部が突出するように、ロック機構を構成する山折状態のばね部材からなるロック部１１４が設けられている。
【００６０】
図６（ａ）は、光コネクタ（レセプタクル）１０１の概略的斜視図を示している。本体部１１１の外周面（図において上面）に、信号電極１０１ｂ，１０１ｃと接地電極１０１ｄが配置され、接地電極１０１ｄを挟んで両側に信号電極１０１ｂ，１０１ｃが存在している。この場合、接地電極１０１ｄは信号電極１０１ｂ，１０１ｃより長く、接地電極１０１ｄは信号電極１０１ｂ，１０１ｃより光コネクタ（プラグ）３０１側に突出した状態となっている。なお、接地電極１０１ｄを信号電極１０１ｂ，１０１ｃより長くすることなく、接地電極１０１ｄを信号電極１０１ｂ，１０１ｃより光コネクタ（プラグ）３０１側に突出した状態とすることも可能である。また、本体部１１１の外周面（図において側面）に、ロック部１１４が設けられている。
【００６１】
図７、図８を参照して、光コネクタ（レセプタクル）１０１に光コネクタ３０１（プラグ）が挿入されて嵌合が行われる場合の各状態を説明する。図７（ａ）は、ユーザ操作により、光コネクタ１０１の開口１１２への光コネクタ３０１の本体部３１１の挿入が開始された状態を示している。
【００６２】
図７（ｂ）は、光コネクタ１０１の開口１１２への光コネクタ３０１の本体部３１１の挿入がさらに進み、光コネクタ１０１の光学部１０１ａが光コネクタ３０１の光学部３０１ａとの接触を開始した状態を示している。この状態では、光コネクタ１０１の信号電極１０１ｂ，１０１ｃおよび接地電極１０１ｄはそれぞれ光コネクタ３０１の信号電極３０１ｂ，３０１ｃおよび接地電極３０１ｄとはまだ接触されてはいない。
【００６３】
図８（ｃ）は、ばね部材１１３の付勢力に抗して、光コネクタ１０１の開口１１２への光コネクタ３０１の本体部３１１の挿入がさらに進み、光コネクタ１０１の接地電極１０１ｄが光コネクタ３０１の接地電極３０１ｄと接触した状態を示している。この状態では、光コネクタ１０１の信号電極１０１ｂ，１０１ｃはそれぞれ光コネクタ３０１の信号電極３０１ｂ，３０１ｃとはまだ接触されてはいない。
【００６４】
図８（ｄ）は、ばね部材１１３の付勢力に抗して、光コネクタ１０１の開口１１２への光コネクタ３０１の本体部３１１の挿入がさらに進み、光コネクタ１０１の開口１１２への光コネクタ３０１の本体部３１１の挿入が完了した嵌合状態を示している。この状態では、光コネクタ１０１の信号電極１０１ｂ，１０１ｃおよび接地電極１０１ｄはそれぞれ光コネクタ３０１の信号電極３０１ｂ，３０１ｃおよび接地電極３０１ｄと接触した状態におかれる。また、この状態では、ロック部材１１４がロック孔３１３に挿入され、ばね部材１１３の付勢力に抗して、この嵌合状態が保持される。
【００６５】
また、図７、図８を参照して、光コネクタ（レセプタクル）１０１から光コネクタ（プラグ）３０１が抜去されて嵌合解除が行われる場合の各状態を説明する。この場合の動作は、光コネクタ（レセプタクル）１０１に光コネクタ３０１（プラグ）が挿入されて嵌合が行われる場合とは逆の動作となる。
【００６６】
図８（ｄ）に示す嵌合状態から、ユーザが光コネクタ（レセプタクル）１０１の開口１１２から光コネクタ３０１（プラグ）を抜く方向に操作することでロックが解除される。ロックが解除されることで、光コネクタ１０１の光学部１０１ａはばね部材の付勢力によって移動する。図８（ｃ）の状態では、光コネクタ１０１の光学部１０１ａが光コネクタ３０１の光学部３０１ａと接触した状態にあるが、光コネクタ１０１の信号電極１０１ｂ，１０１ｃはそれぞれ光コネクタ３０１の信号電極３０１ｂ，３０１ｃから分離した状態となる。
【００６７】
そして、この状態から、光コネクタ１０１の光学部１０１ａはばね部材の付勢力によってさらに移動し、図７（ｂ）の状態となる。この状態では、光コネクタ１０１の光学部１０１ａが光コネクタ３０１の光学部３０１ａと接触した状態にあるが、光コネクタ１０１の信号電極１０１ｂ，１０１ｃおよび接地電極１０１ｄはそれぞれ光コネクタ３０１の信号電極３０１ｂ，３０１ｃおよび接地電極３０１ｄから分離した状態となる。図７（ａ）は、ユーザが光コネクタ１０１より光コネクタ３０１を抜く方向にさらに操作した状態を示している。この状態では、光コネクタ１０１の光学部１０１ａは光コネクタ３０１の光学部３０１ａから分離した状態となる。
【００６８】
なお、上述では、光コネクタ（レセプタクル）１０１の接地電極１０１ｄが信号電極１０１ｂ，１０１ｃより光コネクタ（プラグ）３０１側に突出した構成とされているが、逆に、図９に示すように、光コネクタ（プラグ）３０１の接地電極３０１ｄが信号電極３０１ｂ，３０１ｃより光コネクタ（レセプタクル）側に突出した構成とされても、同様の動作となる。
【００６９】
図２に示す光データ伝送システム２０において、第１の電子機器１００が送信側機器であり、第２の電子機器２００が受信側機器である場合において、光コネクタ（レセプタクル）１０１に光コネクタ３０１（プラグ）が挿入されていって光データ伝送が開始されるという動作を、図１０のフローチャートを参照して説明する。この場合、第２の電子機器２００の光コネクタ２０１と光ケーブル３００の光コネクタ３０２とは既に嵌合状態にあるものとする。なお、図３、図４に示す光データ伝送システム２０Ａ，２０Ｂの動作については、この光データ伝送システム２０と同様であるので、その説明は省略する。
【００７０】
光コネクタ１０１の開口１１２に光コネクタ３０１の本体部３１１が挿入されていない状態では、光コネクタ１０１の信号電極１０１ｂ，１０１ｃと光コネクタ３０１の信号電極３０１ｂ，３０１ｃとの接触がなく、送信/受信部１０２からの光出力はオフ（OFF）あるいはパワーダウン（Power-down）の状態（初期状態）にある（ステップＳＴ１）。この状態で送信/受信部１０２から光コネクタ１０１の光学部１０１ａに供給される光信号のパワーは第２のパワー（ユーザに対する健康被害が生じないような安全確保された充分に低いパワー）にある。
【００７１】
この状態から、ユーザ操作により光コネクタ１０１の開口１１２への光コネクタ３０１の本体部３１１の挿入が開始され（図７（ａ）参照）、さらに挿入が進められると、光コネクタ１０１の光学部１０１ａと光コネクタ３０１の光学部３０１ａとが接触を開始する状態（図７（ｂ）参照）、つまり光学的結合の開始状態となる（ステップＳＴ２）。
【００７２】
そして、この状態から、挿入が進められると、光コネクタ１０１の接地電極１０１ｄと光コネクタ３０１の接地電極３０１ｄが接触されて電気的接続がなされ（ステップＳＴ３、図８（ｃ）参照）、さらに挿入が進められる（ステップＳＴ４）。最終的には、光コネクタ１０１に光コネクタ３０１が嵌合された状態（図８（ｄ）参照）となる。
【００７３】
光出力制御部１０４は、接続検出部１０３の出力に基づいて、接続が検出されているか否か、つまり、光コネクタ１０１の信号電極１０１ｂ，１０１ｃと光コネクタ３０１の電極３０１ｂ，３０１ｃとの接触（接続）があるか否かを判断する（ステップＳＴ５）。接続が検出されていると判断するとき、光出力制御部１０４は、送信/受信部１０２からの光出力をオン（ON）あるいはパワーアップ（Power-up）の状態とする（ステップＳＴ６）。この状態で送信/受信部１０２から光コネクタ１０１の光学部１０１ａに供給される光信号のパワーは第１のパワー（光データ伝送を高品位で行い得るパワー）になる。
【００７４】
送信/受信部１０２から光コネクタ１０１の光学部１０１ａに第１のパワーによる光信号が供給され、光データ伝送が開始される（ステップＳＴ７）。この場合、送信/受信部１０２から光コネクタ１０１の光学部１０１ａに供給された光信号は、光ケーブル３００の光コネクタ３０１の光学部３０１ａ、光伝送路３０３および光コネクタ３０２の光学部３０２ａを通じて、第２の電子機器２００の光コネクタ２０１の光学部２０１ａに供給される。そして、光学部２０１ａに供給される光信号はさらに送信/受信部２０２に供給される。
【００７５】
次に、第１の電子機器１００が送信側機器であり、第２の電子機器２００が受信側機器である場合において、光コネクタ（レセプタクル）１０１に光コネクタ（プラグ）３０１が嵌合された状態（図８（ｄ）参照）にあって、上述のように光データ伝送が行われている状態から、光コネクタ１０１より光コネクタ３０１が抜去されていって光データ伝送が停止されるという動作を、図１１のフローチャートを参照して説明する。
【００７６】
光コネクタ１０１に光コネクタ３０１が嵌合された状態では、光コネクタ１０１の信号電極１０１ｂ，１０１ｃはそれぞれ光コネクタ３０１の信号電極３０１ｂ，３０１ｃとの接触があり、送信/受信部１０２からの光出力はオン（ON）あるいはパワーアップ（Power-up）の状態（初期状態）にある（ステップＳＴ１１）。この状態で送信/受信部１０２から光コネクタ１０１の光学部１０１ａに供給される光信号のパワーは第１のパワー（光データ伝送を高品位で行い得るパワー）にある。
【００７７】
この状態から、ユーザ操作により光コネクタ１０１の開口１１２から光コネクタ３０１の本体部３１１の抜去が開始される（ステップＳＴ１２）。光出力制御部１０４は、接続検出部１０３の出力に基づいて、接続が検出されているか否か、つまり、光コネクタ１０１の電極１０１ｂ，１０１ｃと光コネクタ３０１の電極３０１ｂ，３０１ｃとの接触があるか否かを判断する（ステップＳＴ１３）。
【００７８】
接続が検出されていないと判断するとき（図８（ｃ）参照）、光出力制御部１０４は、送信/受信部１０２からの光出力をオフ（OFF）あるいはパワーダウン（Power-down）の状態とする（ステップＳＴ１４）。この状態で送信/受信部１０２から光コネクタ１０１の光学部１０１ａに供給される光信号のパワーは第２のパワー（ユーザに対する健康被害が生じないような安全確保された充分に低いパワー）になる。
【００７９】
送信/受信部１０２からの光出力がオフあるいはパワーダウンされた後、光データ伝送が停止される（ステップＳＴ１５）。そして、この状態から抜去が進められ、光コネクタ１０１の接地電極１０１ｄと光コネクタ３０１の接地電極３０１ｄとが分離された状態（ステップＳＴ１６、図７（ｂ）参照）となる。さらにこの状態から抜去が進められ、光コネクタ１０１の光学部１０１ａと光コネクタ３０１の光学部３０１ａとが分離された状態（ステップＳＴ１７、図７（ａ）参照）となる。
【００８０】
なお、この実施の形態においては、プラグ３０１がレセプタクルに対してリバーシブルに接続可能な構成となっている。ここでは、第１の電子機器１００のレセプタクル１０１とケーブル３００のプラグ３０１の部分を例にとって説明する。詳細説明は省略するが、その他のレセプタクルとプラグの部分においても同様の構成とされ、プラグがレセプタクルに対してリバーシブルに接続可能とされる。
【００８１】
図１２は、プラグ３０１がレセプタクル１０１に対してリバーシブルに接続可能とするためのレセプタクル１０１およびプラグ３０１の構成の一例を示している。図１２（ａ）は、レセプタクル１０１を正面から見た図を概略的に示している。また、図１２（ａ´）は、レセプタクル１０１を背面から見た図を概略的に示している。また、図１２（ｂ）は、プラグ３０１を背面から見た図を概略的に示しており、信号電極３０１ｂ、３０１ｃと接地電極３０１ｄに関しては透視状態で示している。また、図１２（ｂ´）は、プラグ３０１を正面から見た図を概略的に示しており、信号電極３０１ｂ、３０１ｃと接地電極３０１ｄに関しては透視状態で示している。
【００８２】
レセプタクル１０１には、筐体の対向する２側部、つまり第１の側部（図では上側部）と第２側部（図では下側部）の双方に、それぞれ、信号電極１０１ｂ、１０１ｃと接地電極１０１ｄが設置されている。図示の例では、第１の側部に設置された電極１０１ｂ、１０１ｄ、１０１ｃを電極１０１ｂ-1、１０１ｄ-1、１０１ｃ-1とし、第２の側部に設置された電極１０１ｂ、１０１ｄ、１０１ｃを電極１０１ｂ-2、１０１ｄ-2、１０１ｃ-2として示している。
【００８３】
この場合、第１の側部における電極１０１ｂ-1、１０１ｄ-1、１０１ｃ-1の並びと、第２の側部における電極１０１ｂ-2、１０１ｄ-2、１０１ｃ-2の並びは点対称の関係に置かれている。そして、第１の側部における電極１０１ｂ-1、１０１ｃ-1は、それぞれ、破線で示すように、第２の側部における１０１ｂ-2、１０１ｃ-2と、レセプタクル内あるいは基板上で相互に接続されている。
【００８４】
一方、プラグ３０１には、上述のレセプタクル１０１の２側部に対応したプラグ３０１の筐体の２側部の内、一方の側部に、信号電極３０１ｂ、３０１ｃと接地電極３０１ｄが設置されている。上述したように。レセプタクル１０１の第１の側部（図では上側部）と第２側部（図では下側部）に、それぞれ、信号電極１０１ｂ、１０１ｃと接地電極１０１ｄが設置されていることから、このプラグ３０１を上限逆にしてレセプタクル１０１に挿入したとしても各電極の接続が可能となる、つまりリバーシブル接続が可能となる。
【００８５】
図１３は、プラグ３０１がレセプタクル１０１に対してリバーシブルに接続可能とするためのレセプタクル１０１およびプラグ３０１の構成の他の一例を示している。図１３（ａ）は、レセプタクル１０１を正面から見た図を概略的に示している。また、図１３（ａ´）は、レセプタクル１０１を背面から見た図を概略的に示している。また、図１３（ｂ）は、プラグ３０１を背面から見た図を概略的に示しており、信号電極３０１ｂ、３０１ｃと接地電極３０１ｄに関しては透視状態で示している。また、図１３（ｂ´）は、プラグ３０１を正面から見た図を概略的に示しており、信号電極３０１ｂ、３０１ｃと接地電極３０１ｄに関しては透視状態で示している。
【００８６】
プラグ３０１には、筐体の対向する２側部、つまり第１の側部（図では上側部）と第２側部（図では下側部）の双方に、それぞれ、信号電極３０１ｂ、３０１ｃと接地電極３０１ｄが設置されている。図示の例では、第１の側部に設置された電極３０１ｂ、３０１ｄ、３０１ｃを電極３０１ｂ-1、３０１ｄ-1、３０１ｃ-1とし、第２の側部に設置された電極３０１ｂ、３０１ｄ、３０１ｃを電極３０１ｂ-2、３０１ｄ-2、３０１ｃ-2として示している。
【００８７】
この場合、第１の側部における電極３０１ｂ-1、３０１ｄ-1、３０１ｃ-1の並びと、第２の側部における電極３０１ｂ-2、３０１ｄ-2、３０１ｃ-2の並びは点対称の関係に置かれている。そして、第１の側部における電極３０１ｂ-1、３０１ｃ-1は、それぞれ、破線で示すように、第２の側部における３０１ｂ-2、３０１ｃ-2と、プラグ内またはケーブル内で相互に接続されている。
【００８８】
一方、レセプタクル１０１には、上述のプラグ３０１の２側部に対応したレセプタクル１０１の筐体の２側部の内、一方の側部に、信号電極１０１ｂ、１０１ｃと接地電極１０１ｄが設置されている。上述したように。プラグ３０１の第１の側部（図では上側部）と第２側部（図では下側部）に、それぞれ、信号電極３０１ｂ、３０１ｃと接地電極３０１ｄが設置されていることから、このプラグ３０１を上限逆にしてレセプタクル１０１に挿入したとしても各電極の接続が可能となる、つまりリバーシブル接続が可能となる。
【００８９】
［ディスクプレーヤの構成例］
図１４は、送信側機器の具体例としてのディスクプレーヤ１１の構成例を示している。このディスクプレーヤ１１は、メインストリームリンク送信部４２５と、サブストリームリンク送信部４２６と、サブストリームリンク受信部４２７を有している。
【００９０】
メインストリームリンク送信部４２５やサブストリームリンク送信部４２６には、それぞれ、図２、図３、図４の第１の電子機器１００，１００Ａ，１００Ｂにおける光コネクタ１０１、送信/受信部１０２、接続検出部１０３、光出力制御部１０４などが含まれている。なお、光出力制御部１０４は、後述するＣＰＵ４０４で構成されてもよい。また、サブストリームリンク受信部４２７には、図２、図３、図４の第１の電子機器１００，１００Ａ，１００Ｂにおける光コネクタ１０１、送信/受信部１０２などが含まれている。
【００９１】
また、このディスクプレーヤ１１は、ＣＰＵ（Central Processing Unit）４０４と、内部バス４０５と、フラッシュＲＯＭ（Read Only Memory）４０６と、ＳＤＲＡＭ（Synchronous Random Access Memory）４０７と、リモコン受信部４０８と、リモコン送信機４０９を有している。
【００９２】
また、ディスクプレーヤ１１は、ＳＡＴＡ（Serial Advanced Technology Attachment）インタフェース４１０と、ＢＤ(Blu-Ray Disc)ドライブ４１１と、イーサネットインタフェース（Ethernet I/F）４１２と、ネットワーク端子４１３を有している。また、ディスクプレーヤ１１は、ＭＰＥＧ(Moving Picture Expert Group)デコーダ４１５と、グラフィック生成回路４１６と、映像出力端子４１７と、音声出力端子４１８を有している。
【００９３】
また、ディスクプレーヤ１１は、表示制御部４２１と、パネル駆動回路４２２と、表示パネル４２３と、電源部４２４を有していてもよい。なお、「イーサネット」および「Ｅｔｈｅｒｎｅｔ」は登録商標である。ＣＰＵ４０４、フラッシュＲＯＭ４０６、ＳＤＲＡＭ４０７、ＳＡＴＡインタフェース４１０、イーサネットインタフェース４１２、ＭＰＥＧデコーダ４１５および表示制御部４２１は、内部バス４０５に接続されている。
【００９４】
ＣＰＵ４０４は、ディスクプレーヤ１１の各部の動作を制御する。フラッシュＲＯＭ４０６は、制御ソフトウェアの格納およびデータの保管を行う。ＳＤＲＡＭ４０７は、ＣＰＵ４０４のワークエリアを構成する。ＣＰＵ４０４は、フラッシュＲＯＭ４０６から読み出したソフトウェアやデータをＳＤＲＡＭ４０７上に展開してソフトウェアを起動させ、ディスクプレーヤ１１の各部を制御する。
【００９５】
リモコン受信部４０８は、リモコン送信機４０９から送信されたリモーコントロール信号（リモコンコード）を受信し、ＣＰＵ４０４に供給する。ＣＰＵ４０４は、リモコンコードに従ってディスクプレーヤ１１の各部を制御する。なお、この実施の形態では、ユーザ指示入力部としてリモートコントロール部を示しているが、ユーザ指示入力部は、その他の構成、例えば、スイッチ、ホイール、近接/タッチにより指示入力を行うタッチパネル部、マウス、キーボード、カメラで指示入力を検出するジェスチャ入力部、音声により指示入力を行う音声入力部などであってもよい。
【００９６】
ＢＤドライブ４１１は、ディスク状記録メディアとしてのＢＤディスク（図示せず）に対して、コンテンツデータを記録し、あるいは、このＢＤからコンテンツデータを再生する。このＢＤドライブ４１１は、ＳＡＴＡインタフェース４１０を介して内部バス４０５に接続されている。ＭＰＥＧデコーダ４１５は、ＢＤドライブ４１１で再生されたＭＰＥＧ２ストリームに対してデコード処理を行って画像および音声のデータを得る。
【００９７】
ディスクプレーヤ１１から外部機器（受信機）に画像および音声のデータを送信する場合、ＭＰＥＧデコーダ４１５からメインストリームリンク送信部４２５に画像および音声のデータが供給される。この場合、画像および音声のデータは圧縮データ、非圧縮データのいずれであってもよい。
【００９８】
グラフィック生成回路４１６は、ＭＰＥＧデコーダ４１５で得られた画像データに対して、必要に応じてグラフィックスデータの重畳処理等を行う。映像出力端子４１７は、グラフィック生成回路４１６から出力される画像データを出力する。音声出力端子４１８は、ＭＰＥＧデコーダ４１５で得られた音声データを出力する。
【００９９】
パネル駆動回路４２２は、グラフィック生成回路４１６から出力される映像（画像）データに基づいて、表示パネル４２３を駆動する。表示制御部４２１は、グラフィクス生成回路４１６やパネル駆動回路４２２を制御して、表示パネル４２３における表示を制御する。表示パネル４２３は、例えば、ＬＣＤ(Liquid Crystal Display)、ＰＤＰ(Plasma Display Panel)、有機ＥＬ（Organic Electro-Luminescence）パネル等で構成されている。
【０１００】
なお、この実施の形態では、ＣＰＵ４０４の他に表示制御部４２１を有する例を示しているが、表示パネル４２３における表示をＣＰＵ４０４が直接制御するようにしてもよい。また、ＣＰＵ４０４と表示制御部４２１は、１つのチップになっていても、複数コアであってもよい。電源部４２４は、ディスクプレーヤ１１の各部に電源を供給する。この電源部４２４は、ＡＣ電源であっても、電池（蓄電池、乾電池）であってもよい。
【０１０１】
図１４に示すディスクプレーヤ１１の動作を簡単に説明する。記録時には、図示されないデジタルチューナを介して、あるいはネットワーク端子４１３からイーサネットインタフェース４１２を介して、記録すべきコンテンツデータが取得される。このコンテンツデータは、ＳＡＴＡインタフェース４１０に入力され、ＢＤドライブ４１１によりＢＤに記録される。場合によっては、このコンテンツデータは、ＳＡＴＡインタフェース４１０に接続された、図示されないＨＤＤ（ハードディスクドライブ）に記録されてもよい。
【０１０２】
再生時には、ＢＤドライブ４１１によりＢＤから再生されたコンテンツデータ（ＭＰＥＧストリーム）は、ＳＡＴＡインタフェース４１０を介してＭＰＥＧデコーダ４１５に供給される。ＭＰＥＧデコーダ４１５では、再生されたコンテンツデータに対してデコード処理が行われ、非圧縮の画像および音声のデータが得られる。画像データは、グラフィック生成回路４１６を通じて映像出力端子４１７に出力される。また、音声データは、音声出力端子４１８に出力される。
【０１０３】
また、再生時には、ＭＰＥＧデコーダ４１５で得られた画像データが、ユーザ操作に応じて、グラフィック生成回路４１６を通じてパネル駆動回路４２２に供給され、表示パネル４２３に再生画像が表示される。また、ＭＰＥＧデコーダ４１５で得られた音声データが、ユーザ操作に応じて、図示しないスピーカに供給され、再生画像に対応した音声が出力される。
【０１０４】
また、この再生時に、ディスクプレーヤ１１から外部機器（受信機）に画像および音声のデータを送信する場合、ＭＰＥＧデコーダ４１５からメインストリームリンク送信部４２５に画像および音声のデータ（非圧縮データあるいは非圧縮データ）が供給され、メインストリームリンクで外部機器（受信機）に送信される。
【０１０５】
なお、再生時に、ＢＤドライブ４１１で再生されたコンテンツデータをネットワークに送出する際には、このコンテンツデータは、イーサネットインタフェース４１２を介して、ネットワーク端子４１３に出力される。ここで、画像データを出力する前に、著作権保護技術、例えばＨＤＣＰ、ＤＴＣＰ、ＤＴＣＰ＋などを用いて暗号化してから伝送（送信）してもよい。
【０１０６】
［テレビ受信機の構成例］
図１５は、受信側機器の具体例としてのテレビ受信機１２の構成例を示している。このテレビ受信機１２は、メインストリームリンク受信部５３３と、サブストリームリンク受信部５３４と、サブストリームリンク送信部５３５を有している。
【０１０７】
メインストリームリンク受信部５３３やサブストリームリンク受信部５３４には、それぞれ、図２、図３、図４の第２の電子機器２００，２００Ａ，２００Ｂにおける光コネクタ２０１、送信/受信部２０２などが含まれている。サブストリームリンク送信部５３５には、図２、図３、図４の第２の電子機器２００，２００Ａ，２００Ｂにおける光コネクタ２０１、送信/受信部２０２、接続検出部２０３、光出力制御部２０４などが含まれている。なお、光出力制御部２０４は、後述するＣＰＵ５２１で構成されてもよい。
【０１０８】
また、テレビ受信機１２は、アンテナ端子５０５と、デジタルチューナ５０６と、ＭＰＥＧデコーダ５０７と、映像信号処理回路５０８と、グラフィック生成回路５０９と、パネル駆動回路５１０と、表示パネル５１１とを有している。
【０１０９】
また、テレビ受信機１２は、音声信号処理回路５１２と、音声増幅回路５１３と、スピーカ５１４と、内部バス５２０と、ＣＰＵ５２１と、フラッシュＲＯＭ５２２と、ＳＤＲＡＭ（Synchronous Random Access Memory）５２３とを有している。また、テレビ受信機１２は、イーサネットインタフェース（Ethernet I/F）５２４と、ネットワーク端子５２５と、リモコン受信部５２６と、リモコン送信機５２７とを有している。また、テレビ受信機１２は、表示制御部５３１と、電源部５３２を有している。なお、「イーサネット」および「Ｅｔｈｅｒｎｅｔ」は登録商標である。
【０１１０】
ＣＰＵ５２１は、テレビ受信機１２の各部の動作を制御する。フラッシュＲＯＭ５２２は、制御ソフトウェアの格納およびデータの保管を行う。ＳＤＲＡＭ５２３は、ＣＰＵ５２１のワークエリアを構成する。ＣＰＵ５２１は、フラッシュＲＯＭ５２２から読み出したソフトウェアやデータをＳＤＲＡＭ５２３上に展開してソフトウェアを起動させ、テレビ受信機１２の各部を制御する。
【０１１１】
リモコン受信部５２６は、リモコン送信機５２７から送信されたリモーコントロール信号（リモコンコード）を受信し、ＣＰＵ５２１に供給する。ＣＰＵ５２１は、このリモコンコードに基づいて、テレビ受信機１２の各部を制御する。なお、この実施の形態では、ユーザ指示入力部としてリモートコントロール部を示しているが、ユーザ指示入力部は、その他の構成、例えば、近接/タッチにより指示入力を行うタッチパネル部、マウス、キーボード、カメラで指示入力を検出するジェスチャ入力部、音声により指示入力を行う音声入力部などであってもよい。
【０１１２】
ネットワーク端子５２５は、ネットワークに接続する端子であり、イーサネットインタフェース５２４に接続される。ＣＰＵ５２１、フラッシュＲＯＭ５２２、ＳＤＲＡＭ５２３、イーサネットインタフェース５２４、ＭＰＥＧデコーダ５０７および表示制御部５３１は、内部バス５２０に接続されている。
【０１１３】
アンテナ端子５０５は、受信アンテナ（図示せず）で受信されたテレビ放送信号を入力する端子である。デジタルチューナ５０６は、アンテナ端子５０５に入力されたテレビ放送信号を処理して、ユーザの選択チャネルに対応した所定のトランスポートストリームから、パーシャルＴＳ（Transport Stream）（映像データのＴＳパケット、音声データのＴＳパケット）を抽出する。
【０１１４】
また、デジタルチューナ５０６は、得られたトランスポートストリームから、ＰＳＩ／ＳＩ（Program Specific Information／Service Information）を取り出し、ＣＰＵ５２１に出力する。デジタルチューナ５０６で得られた複数のトランスポートストリームから任意のチャネルのパーシャルＴＳを抽出する処理は、ＰＳＩ／ＳＩ（ＰＡＴ／ＰＭＴ）から当該任意のチャネルのパケットＩＤ（ＰＩＤ）の情報を得ることで可能となる。
【０１１５】
ＭＰＥＧデコーダ５０７は、デジタルチューナ５０６で得られる映像データのＴＳパケットにより構成される映像ＰＥＳ（Packetized Elementary Stream）パケットに対してデコード処理を行って画像データを得る。また、ＭＰＥＧデコーダ５０７は、デジタルチューナ５０６で得られる音声データのＴＳパケットにより構成される音声ＰＥＳパケットに対してデコード処理を行って音声データを得る。また、ＭＰＥＧデコーダ５０７は、ネットワーク端子５２５からイーサネットインタフェース５２４を介して供給されるコンテンツデータ（画像データ、音声データ）に対してデコード処理を行って画像および音声のデータを得る。
【０１１６】
映像信号処理回路５０８およびグラフィック生成回路５０９は、ＭＰＥＧデコーダ５０７で得られた画像データ、あるいはメインストリームリンク受信部５３３で受信された画像データに対して、必要に応じてスケーリング処理（解像度変換処理）、グラフィックスデータの重畳処理等を行う。
【０１１７】
パネル駆動回路５１０は、グラフィック生成回路５０９から出力される映像（画像）データに基づいて、表示パネル５１１を駆動する。表示制御部５３１は、グラフィクス生成回路５０９やパネル駆動回路５１０を制御して、表示パネル５１１における表示を制御する。表示パネル５１１は、例えば、ＬＣＤ(Liquid Crystal Display)、ＰＤＰ(Plasma Display Panel)、有機ＥＬ（Organic Electro-Luminescence）パネル等で構成されている。
【０１１８】
なお、この実施の形態では、ＣＰＵ５２１の他に表示制御部５３１を有する例を示しているが、表示パネル５１１における表示をＣＰＵ５２１が直接制御するようにしてもよい。また、ＣＰＵ５２１と表示制御部５３１は、１つのチップになっていても、複数コアであってもよい。電源部５３２は、テレビ受信機１２の各部に電源を供給する。この電源部５３２は、ＡＣ電源であっても、電池（蓄電池、乾電池）であってもよい。
【０１１９】
音声信号処理回路５１２はＭＰＥＧデコーダ５０７で得られた音声データ、あるいはメインストリームリンク受信部５３３で受信された音声データに対してＤ／Ａ変換等の必要な処理を行う。音声増幅回路５１３は、音声信号処理回路５１２から出力される音声信号を増幅してスピーカ５１４に供給する。
【０１２０】
なお、スピーカ５１４は、モノラルでもステレオでもよい。また、スピーカ５１４は、１つでもよく、２つ以上でもよい。また、スピーカ５１４は、イヤホン、ヘッドホンでもよい。また、スピーカ５１４は、２．１チャネルや、５．１チャネルなどに対応するものであってもよい。また、スピーカ５１４は、テレビ受信機１２と無線で接続してもよい。また、スピーカ５１４は、他機器であってもよい。
【０１２１】
なお、例えば、受信されたコンテンツデータをネットワークに送出する際には、このコンテンツデータは、イーサネットインタフェース５２４を介して、ネットワーク端子５２５に出力される。ここで、画像データを出力する前に、著作権保護技術、例えばＨＤＣＰ、ＤＴＣＰ、ＤＴＣＰ＋などを用いて暗号化してから伝送してもよい。
【０１２２】
図１５に示すテレビ受信機１２の動作を簡単に説明する。アンテナ端子５０５に入力されたテレビ放送信号はデジタルチューナ５０６に供給される。このデジタルチューナ５０６では、テレビ放送信号を処理して、ユーザの選択チャネルに対応した所定のトランスポートストリームが出力され、トランスポートストリームから、パーシャルＴＳ（映像データのＴＳパケット、音声データのＴＳパケット）が抽出され、当該パーシャルＴＳはＭＰＥＧデコーダ５０７に供給される。
【０１２３】
ＭＰＥＧデコーダ５０７では、映像データのＴＳパケットにより構成される映像ＰＥＳパケットに対してデコード処理が行われて映像データが得られる。この映像データは、映像信号処理回路５０８およびグラフィック生成回路５０９において、必要に応じて、スケーリング処理（解像度変換処理）、グラフィックスデータの重畳処理等が行われた後に、パネル駆動回路５１０に供給される。そのため、表示パネル５１１には、ユーザの選択チャネルに対応した画像が表示される。
【０１２４】
また、ＭＰＥＧデコーダ５０７では、音声データのＴＳパケットにより構成される音声ＰＥＳパケットに対してデコード処理が行われて音声データが得られる。この音声データは、音声信号処理回路５１２でＤ／Ａ変換等の必要な処理が行われ、さらに、音声増幅回路５１３で増幅された後に、スピーカ５１４に供給される。そのため、スピーカ５１４から、ユーザの選択チャネルに対応した音声が出力される。
【０１２５】
また、ネットワーク端子５２５からイーサネットインタフェース５２４に供給されるコンテンツデータ（画像データ、音声データ）は、ＭＰＥＧデコーダ５０７に供給される。以降は、上述したテレビ放送信号の受信時と同様の動作となり、表示パネル５１１に画像が表示され、スピーカ５１４から音声が出力される。
【０１２６】
また、テレビ受信機１２が外部機器（送信機）から画像および音声のデータを受信する場合、メインストリームリンク受信部５３３で受信された画像および音声のデータは、それぞれ映像信号処理回路５０８および音声信号処理回路５１２に供給される。以降は、上述したテレビ放送信号の受信時と同様の動作となり、表示パネル５１１に画像が表示され、スピーカ５１４から音声が出力される。
【０１２７】
上述したように、図２、図３、図４に示す光データ伝送システム２０，２０Ａ，２０Ｂにおいては、光コネクタ（レセプタクル）に光コネクタ（プラグ）が挿入されて嵌合が行われるとき、光学部同士が接触された後に信号電極同士が接触され、光コネクタ（レセプタクル）から光コネクタ（プラグ）が抜去されて嵌合解除が行われるとき、信号電極同士が分離された後に光学部同士が分離される。そのため、信号電極が相手コネクタの電極に接触している場合には光学部が相手コネクタの光学部に接触していることが保証され、この場合のみ光学部に供給される光信号のパワーが高く制御されることで安全確保が可能となり、光データ伝送を良好に行い得る。
【０１２８】
また、図２、図３、図４に示す光データ伝送システム２０，２０Ａ，２０Ｂにおいては、光コネクタ（レセプタクル）に光コネクタ（プラグ）が挿入されて嵌合が行われるとき、接地電極同士が接触した状態で信号電極同士が接触され、光コネクタ（レセプタクル）から光コネクタ（プラグ）が抜去されて嵌合解除が行われるとき、接地電極同士が接触した状態で信号電極同士が分離される。そのため、接続機器間の電位を安定させることができ、また、静電気などの影響を低減することができ、接続された機器の破損や誤動作を防止できる。
【０１２９】
＜２．変形例＞
なお、上述実施の形態においては、相手コネクタとの嵌合が行われるとき、光学部同士が接触した後に、接地電極同士が接触し、その後に信号電極同士が接触し、また相手コネクタとの嵌合解除が行われるとき、信号電極同士が分離した後に、接地電極同士が分離し、その後に光学部同士が分離する構成であった。しかし、相手コネクタとの嵌合が行われるとき、必ずしも、光学部同士が接触した後に接地電極同士が接触する必要はなく、また相手コネクタとの嵌合解除が行われるとき、必ずしも接地電極同士が分離した後に光学部同士が分離する必要はない。
【０１３０】
要は、相手コネクタとの嵌合が行われるときは、接地電極同士が接触した状態で信号電極同士が接触する構成であればよく、また相手コネクタとの嵌合解除が行われるとき、接地電極同士が接触した状態で信号電極同士が分離する構成であればよい。これにより、接続機器間の電位を安定させることができ、また、静電気などの影響を低減することができ、接続された機器の破損や誤動作を防止することが可能となる。
【０１３１】
また、上述実施の形態においては、電子機器の光コネクタ（レセプタクル）と光ケーブルの光コネクタ（プラグ）とが嵌合される例を示したが、同様のコネクタ構成で、電子機器同士を直接接続する構成も考えられる。
【０１３２】
また、上述実施お形態において、送信側機器の具体例としてディスクプレーヤ１１（図１４参照）を示し、また、受信側機器の具体例としてテレビ受信機１２（図１５参照）を示した。しかし、送信側機器および受信側機器は、これらに限定されないことは勿論である。
【０１３３】
また、本技術は、以下のような構成をとることもできる。
（１）相手コネクタの信号電極および接地電極に対応した位置にそれぞれ設けられた信号電極および接地電極と、
上記相手コネクタの光学部に対応した位置に設けられた光学部を備え、
上記相手コネクタとの嵌合が行われるとき、上記光学部が上記相手コネクタの光学部と接触した後に、上記接地電極が上記相手コネクタの接地電極と接触した状態で上記信号電極が上記相手コネクタの信号電極に接触し、
上記相手コネクタとの嵌合解除が行われるとき、上記接地電極が上記相手コネクタの接地電極と接触した状態で上記信号電極が上記相手コネクタの信号電極から分離した後に、上記光学部が上記相手コネクタの光学部から分離する
コネクタ。
（２）上記光学部は、移動可能に設けられ、
上記光学部が上記相手コネクタの光学部との接触を開始する状態では、上記信号電極が上記相手コネクタの信号電極と分離した位置にあるように上記光学部を上記相手コネクタ側に付勢する付勢部をさらに備える
前記（１）に記載のコネクタ。
（３）上記信号電極が上記相手コネクタの信号電極に接触した状態を上記付勢部による付勢力に抗して保持するロック部をさらに備える
前記（２）に記載のコネクタ。
（４）上記信号電極は、上記相手コネクタに接続検出信号を供給するための第１の信号電極と、上記相手コネクタから接続検出信号を受け取るための第２の信号電極とからなる
前記（１）から（３）のいずれかに記載のコネクタ。
（５）相手コネクタの信号電極および接地電極に対応した位置にそれぞれ設けられた信号電極および接地電極と、上記相手コネクタの光学部に対応した位置に設けられた光学部を有するコネクタと、
送信データを光信号に変換して上記光学部に供給する送信部と、
上記信号電極から得られる信号に基づいて上記信号電極と上記相手コネクタの信号電極との接触の有無を検出する検出部と、
上記検出部の出力に基づいて上記送信部から上記光学部に供給される光信号のパワーを制御する制御部を備え、
上記コネクタは、
上記相手コネクタとの嵌合が行われるとき、上記光学部が上記相手コネクタの光学部と接触した後に、上記接地電極が上記相手コネクタの接地電極と接触した状態で上記信号電極が上記相手コネクタの信号電極に接触し、
上記相手コネクタとの嵌合解除が行われるとき、上記接地電極が上記相手コネクタの接地電極と接触した状態で上記信号電極が上記相手コネクタの信号電極から分離した後に、上記光学部が上記相手コネクタの光学部から分離する
電子機器。
（６）上記光学部は、移動可能に設けられ、
上記コネクタは、
上記光学部が上記相手コネクタの光学部との接触を開始する状態では、上記信号電極が上記相手コネクタの信号電極に接触しない位置にあるように上記光学部を上記相手コネクタ側に付勢する付勢部をさらに有する
前記（５）に記載の電子機器。
（７）上記コネクタは、
上記信号電極が上記相手コネクタの信号電極に接触した状態を上記付勢部による付勢力に抗して保持するロック部をさらに有する
前記（６）に記載の電子機器。
（８）上記制御部は、
上記検出部の出力が上記信号電極と上記相手コネクタの信号電極との接触があることを示すとき上記光信号のパワーを第１のパワーに制御し、上記検出部の出力が上記信号電極と上記相手コネクタの信号電極との接触がないことを示すとき上記光信号のパワーを上記第１のパワーより低い第２のパワーに制御する
前記（５）から（７）のいずれかに記載の電子機器。
（９）上記コネクタの信号電極は、上記相手コネクタに接続検出信号を供給するための第１の信号電極と、上記相手コネクタから接続検出信号を受け取るための第２の信号電極とからなり、
上記検出部は、上記第２の信号電極から上記接続検出信号を受け取るとき、上記信号電極と上記相手コネクタの信号電極との接触があることを検出する
前記（５）から（８）のいずれかに記載の電子機器。
（１０）相手コネクタの信号電極および接地電極に対応した位置にそれぞれ設けられた信号電極および接地電極と、上記相手コネクタの光学部に対応した位置に設けられた光学部を有するコネクタと、
送信データを光信号に変換して上記光学部に供給する送信部と、
上記信号電極から得られる信号に基づいて上記信号電極と上記相手コネクタの信号電極との接触の有無を検出する検出部と、
上記検出部の出力に基づいて上記送信部から上記光学部に供給される光信号のパワーを制御する制御部を備え、
上記コネクタは、
上記相手コネクタとの嵌合が行われるとき、上記光学部が上記相手コネクタの光学部と接触した後に、上記接地電極が上記相手コネクタの接地電極と接触した状態で上記信号電極が上記相手コネクタの信号電極に接触し、
上記相手コネクタとの嵌合解除が行われるとき、上記接地電極が上記相手コネクタの接地電極と接触した状態で上記信号電極が上記相手コネクタの信号電極から分離した後に、上記光学部が上記相手コネクタの光学部から分離する電子機器の制御方法であって、
上記検出部の出力が上記信号電極と上記相手コネクタの信号電極との接触があることを示すとき上記光信号のパワーを第１のパワーに制御し、上記検出部の出力が上記信号電極と上記相手コネクタの信号電極との接触がないことを示すとき上記光信号のパワーを上記第１のパワーより低い第２のパワーに制御する
電子機器の制御方法。
【符号の説明】
【０１３４】
１０・・・ＡＶ伝送システム
２０，２０Ａ，２０Ｂ・・・光データ伝送システム
６０・・・メインストリームリンク
７０・・・サブストリームリンク
１００，１００ａ，１００Ｂ・・・第１の電子機器
１０１・・・光コネクタ（レセプタクル）
１０１ａ・・・光学部
１０１ｂ，１０１ｃ・・・信号電極
１０１ｄ・・・接地電極
１０２・・・送信/受信部
１０３・・・接続検出部
１０４・・・光出力制御部
１０５・・・光伝送路
１０６，１０７・・・電気伝送路
１１１・・・本体部
１１２・・・開口
１１３・・・ばね部材
１１４・・・ロック部材
２００，２００Ａ，２００Ｂ・・・第２の電子機器
２０１・・・光コネクタ（レセプタクル）
２０１ａ・・・光学部
２０１ｂ，２０１ｃ・・・信号電極
２０１ｄ・・・接地電極
２０２・・・送信/受信部
２０３・・・接続検出部
２０４・・・光出力制御部
２０５・・・光伝送路
２０６，２０７・・・電気伝送路
３００・・・光ケーブル
３０１，３０２・・・光コネクタ（プラグ）
３０１ａ，３０２ａ・・・光学部
３０１ｂ，３０１ｃ，３０２ｂ，３０２ｃ・・・信号電極
３０１ｄ，３０２ｄ・・・接地電極
３０３・・・光伝送路
３０４，３０５，３０６・・・電気伝送路
３１１・・・本体部
３１２・・・開口
３１３・・・ロック孔
４０４・・・ＣＰＵ
４０５・・・内部バス
４０６・・・フラッシュＲＯＭ
４０７・・・ＳＤＲＡＭ
４０８・・・リモコン受信部
４０９・・・リモコン送信機
４１０・・・ＳＡＴＡインタフェース
４１１・・・ＢＤドライブ
４１２・・・イーサネットインタフェース
４１３・・・ネットワーク端子
４１５・・・ＭＰＥＧデコーダ
４１６・・・グラフィック生成回路
４１７・・・映像出力端子
４１８・・・音声出力端子
４２１・・・表示制御部
４２２・・・パネル駆動回路
４２３・・・表示パネル
４２４・・・電源部
４２５・・・メインストリームリンク送信部
４２６・・・サブストリームリンク送信部
４２７・・・サブストリームリンク受信部
５０５・・・アンテナ端子
５０６・・・デジタルチューナ
５０７・・・ＭＰＥＧデコーダ
５０８・・・映像信号処理回路
５０９・・・グラフィック生成回路
５１０・・・パネル駆動回路
５１１・・・表示パネル
５１２・・・音声信号処理回路
５１３・・・音声増幅回路
５１４・・・スピーカ
５２０・・・内部バス
５２１・・・ＣＰＵ
５２２・・・フラッシュＲＯＭ
５２３・・・ＳＤＲＡＭ
５２４・・・イーサネットインタフェース
５２５・・・ネットワーク端子
５２６・・・リモコン受信部
５２７・・・リモコン送信機
５３１・・・表示制御部
５３２・・・電源部
５３３・・・メインストリームリンク受信部
５３４・・・サブストリームリンク受信部
５３５・・・サブストリームリンク送信部
【図１】
2019135353.tif 000003
【図２】
2019135353.tif 000004
【図３】
2019135353.tif 000005
【図４】
2019135353.tif 000006
【図５】
2019135353.tif 000007
【図６】
2019135353.tif 000008
【図７】
2019135353.tif 000009
【図８】
2019135353.tif 000010
【図９】
2019135353.tif 000011
【図１０】
2019135353.tif 000012
【図１１】
2019135353.tif 000013
【図１２】
2019135353.tif 000014
【図１３】
2019135353.tif 000015
【図１４】
2019135353.tif 000016
【図１５】
2019135353.tif 000017
【国際調査報告】
2019135353.tif 000018
2019135353.tif 000019
2019135353.tif 000020
2019135353.tif 000021